(57)【要約】【課題】布団Ｆの乾燥効率を高くする。【解決手段】布団Ｆを二つ折りにして掛ける架台１１と、架台１１上の布団Ｆを気密に覆う可撓性のカバー１２と、カバー１２を膨らませるブロワ３１と、架台１１内に装着する殺菌灯２１、２１…、ヒータ２２とを設ける。【選択図】図１
2010220932.tif 000002
【特許請求の範囲】
【請求項１】
断面台形の中空状に形成し、布団を二つ折りにして掛ける架台と、該架台上の布団を気密に覆う可撓性のカバーと、該カバー内にエアを吹き込んで膨らませるブロワと、前記架台内に装着するヒータとを備えてなり、前記架台は、布団に接する前後の斜面を通気性に形成することを特徴とする布団の清浄装置。
【請求項２】
前記架台内には、殺菌灯を装着することを特徴とする請求項１記載の布団の清浄装置。
【請求項３】
前記カバー内のエアにオゾンを注入するコンプレッサ付きのオゾン発生器を付設することを特徴とする請求項１または請求項２記載の布団の清浄装置。
【請求項４】
前記カバー内のエアを吸引して排出させる吸引ファンを付設することを特徴とする請求項１ないし請求項３のいずれか記載の布団の清浄装置。
【発明の詳細な説明】
【技術分野】
【０００１】
この発明は、水を使用することなく、布団（布団の他、毛布などの寝具類を含む、以下同じ）を簡単に乾燥し、清潔に処理することができる布団の清浄装置に関する。
【背景技術】
【０００２】
布団を手軽に乾燥することができる布団乾燥機が提案されている（特許文献１）。
【０００３】
この布団乾燥機は、布団を掛ける衝立状の乾燥機本体を支持台上に立設し、乾燥機本体の前後両面に面状ヒータを装着して構成されている。なお、面状ヒータの表面には、フィルム状の保護材が付設されている。また、乾燥機本体上の布団を覆うようにして、脱臭機能を有するシート材を掛けることができる。そこで、このものは、乾燥機本体に布団を掛け、面状ヒータを発熱させることにより、布団を乾燥させるとともに、乾燥中の布団の臭気をシート材に吸着させることができる。
【先行技術文献】
【特許文献】
【０００４】
【特許文献１】特開２００４−１９０９７４号公報
【発明の概要】
【発明が解決しようとする課題】
【０００５】
かかる従来技術によるときは、布団は、乾燥機本体上に掛けられると、面状ヒータに接触することによって内側から乾燥されるが、外側の温度上昇が殆どないため、乾燥効率がよくないという問題があった。なお、この問題を解決するために、熱風により布団を乾燥させようとすると、大容量のブロワやヒータが必要となり、過大な設備になりがちである。
【０００６】
そこで、この発明の目的は、かかる従来技術の問題に鑑み、小容量のブロワとヒータとを使用しながら、布団の乾燥効率を高め、実用性を大きく向上させることができる布団の清浄装置を提供することにある。
【課題を解決するための手段】
【０００７】
かかる目的を達成するためのこの発明の構成は、断面台形の中空状に形成し、布団を二つ折りにして掛ける架台と、架台上の布団を気密に覆う可撓性のカバーと、カバー内にエアを吹き込んで膨らませるブロワと、架台内に装着するヒータとを備えてなり、架台は、布団に接する前後の斜面を通気性に形成することをその要旨とする。
【０００８】
なお、架台内には、殺菌灯を装着することができる。
【０００９】
また、カバー内のエアにオゾンを注入するコンプレッサ付きのオゾン発生器を付設してもよく、カバー内のエアを吸引して排出させる吸引ファンを付設してもよい。
【発明の効果】
【００１０】
かかる発明の構成によるときは、架台は、断面台形の中空状に形成されているから、布団を二つ折りにして掛けるとともに、内部空間に装着するヒータを介して布団を効率よく加熱して乾燥することができる。ただし、布団を乾燥させるときは、可撓性のカバーによって架台上の布団を気密に覆い、ブロワによってエアを吹き込んでカバーを膨らませ、乾燥用の密封空間を形成した上でヒータを通電し、カバー内のエアを加熱する。なお、架台は、布団に接する前後の斜面が通気性であるから、ブロワによって架台内に吹き込まれるエアは、架台上の布団の内側から外側に流通して布団のクッション性を回復させ、その後のヒータによる加熱エアを通し易くする。ただし、架台内のヒータは、遠赤外線ヒータを使用することが好ましい。また、架台の前後の斜面は、パンチングメタルのような孔明き板や、金網材などを使用することにより、布団を機械的に安定に支承し、十分大きな開口面積を実現することができる。
【００１１】
架台内に装着する殺菌灯は、たとえば紫外線式の殺菌灯であり、布団の乾燥中にカバー内のエアを殺菌し、布団を消毒することができる。
【００１２】
コンプレッサ付きのオゾン発生器は、カバー内の正圧のエアにオゾンを注入し、乾燥中の布団を殺菌し、布団内のダニなどを駆除することができる。なお、オゾンは、架台内に注入することにより、架台上の布団の全体に亘り、内側から外側に流通させることが好ましい。
【００１３】
吸引ファンは、カバー内のエアを吸引して排出することにより、乾燥後の布団に含まれる微細なごみやダニの死骸などを除去することができる。なお、吸引ファンは、吸引側に吸引ノズルを取り付けることにより、乾燥後の布団の吸引清掃にも利用可能であり、排出側を水中に開口させることにより、布団から除去されるごみなどを水中に捕捉するとともに、排出エアに含まれるオゾンを併せて除去することができる。
【図面の簡単な説明】
【００１４】
【図１】全体模式構成図
【図２】図１のＸ−Ｘ線矢視相当模式断面図
【図３】動作フローチャート
【図４】動作説明線図
【発明を実施するための形態】
【００１５】
以下、図面を以って発明の実施の形態を説明する。
【００１６】
布団の清浄装置は、布団Ｆを二つ折りにして掛ける架台１１と、架台１１上の布団Ｆを気密に覆う可撓性のカバー１２とを備えてなる（図１、図２）。
【００１７】
架台１１は、断面台形の中空状に形成されている。布団Ｆに接する架台１１の前後の斜面１１ａ、１１ａは、たとえばパンチングメタルを介して通気性に形成されている。また、架台１１は、底板１１ｂの下面に脚１１ｃ、１１ｃ…が付設されており、枠板１３を介して台車１４の上面に設置されている。架台１１内には、紫外線式の殺菌灯２１、２１…が装着され、ヒータ２２が装着されている。なお、ヒータ２２は、遠赤外線ヒータであり、ヒータ２２には、図示しない温度コントローラが組み合わされている。
【００１８】
カバー１２は、非通気性の可撓性のシート材を下部開放の筒状に形成している。カバー１２の下端部は、枠板１３を介し、台車１４の上面に気密に固定されている。また、カバー１２は、上端から左右の中間部の適当な位置Ａ、Ａに至る間（図１の符号Ａ、Ａの間の太い二点鎖線）に装着する気密性のファスナ１２ａを介し、位置Ａ、Ａから上方の部分を前後に開閉することができる。すなわち、ファスナ１２ａは、位置Ａ、Ａで止まる２個のスライダを位置Ａ、Ａの上方の共通のエレメント（務歯）に組み合わせ、各スライダをカバー１２の上端中間部から左または右の中間部の位置Ａに向けて外向き、下向きに移動させることによってカバー１２を開き、各スライダを位置Ａから上向き、内向きに移動させることによってカバー１２を閉じ、カバー１２の上端の任意の位置で双方のスライダを当接させることによりカバー１２の位置Ａ、Ａから上方の部分を気密に閉じることができる。
【００１９】
枠板１３には、開口部１３ａが形成されている。ただし、カバー１２の下端部は、開口部１３ａに突出しないようにして、枠板１３と台車１４の上面との間に挟み込まれている。枠板１３は、架台１１の脚１１ｃ、１１ｃ…、カバー１２の下端部とともに、台車１４の上面にねじ止めされている。
【００２０】
台車１４には、移動用の車輪１４ａ、１４ａ…が付設されている。また、台車１４には、ブロワ３１、オゾン発生器３２、吸引ファン３３が搭載されている。ブロワ３１は、台車１４内に組み込まれ、オゾン発生器３２、吸引ファン３３は、台車１４上のケース１４ｂに収納されている。
【００２１】
ブロワ３１の出口側は、パイプ３１ａを介して架台１１内に導かれている。ただし、パイプ３１ａは、逆止弁３１ｂを介して架台１１内に開口している。
【００２２】
オゾン発生器３２には、逆止弁３２ａを介してコンプレッサ３２ｂが付設されている。また、オゾン発生器３２の出口側は、パイプ３２ｃ、分岐パイプ３２ｄ、３２ｄを介して架台１１内に開口している。
【００２３】
吸引ファン３３の吸引側は、可撓性のホース３３ａ、パイプ３３ｂを介して架台１１内に連通している。ただし、ホース３３ａの先端は、コネクタ３３ｃを介してパイプ３３ｂに着脱自在に接続され、パイプ３３ｂの中途には、電磁弁３３ｄが介装され、架台１１内に開口するパイプ３３ｂの先端には、金網などによる簡単なフィルタ３３ｅが付設されている。また、吸引ファン３３の排出側は、パイプ３３ｆを介して水槽３３ｇ内の水中に開口している。水槽３３ｇには、図示しない濾過トレイが付属しており、水中に捕捉されるパイプ３３ｆからのごみなどを簡単に分離して廃棄することができる。また、吸引ファン３３の吸引側のホース３３ａは、先端のコネクタ３３ｃをパイプ３３ｂ側から取り外し、吸引ノズル３３ｈをコネクタ３３ｃに取り付けることができる（図１の二点鎖線）。
【００２４】
ブロワ３１用のパイプ３１ａ、オゾン発生器３２用のパイプ３２ｃ、吸引ファン３３用のパイプ３３ｂは、それぞれ図示しないシール材を介して台車１４の上面を下から上に気密に貫通している。また、パイプ３１ａ、３２ｃ、３３ｂは、枠板１３の開口部１３ａ、架台１１の底板１１ｂを貫通して架台１１内に引き込まれている。
【００２５】
かかる布団の清浄装置は、たとえば図３のフローチャートに従って図４のように作動させることができる。
【００２６】
まず、ファスナ１２ａを介してカバー１２を開き、架台１１に布団Ｆを二つ折りにして掛ける。つづいて、カバー１２を十分高く引き上げ、ファスナ１２ａを介してカバー１２を気密に閉じて架台１１上の布団Ｆを覆い、事前の準備工程を完了させる（図３のステップ（１）、以下、単に（１）のように記す）。なお、このとき、各殺菌灯２１、ヒータ２２、ブロワ３１、オゾン発生器３２、コンプレッサ３２ｂ、吸引ファン３３は、いずれも停止させておき、吸引ファン３３用のホース３３ａは、パイプ３３ｂ側に接続し、電磁弁３３ｄは、閉じておく。
【００２７】
次ぎに、ブロワ３１を起動させる（２）。ブロワ３１からのエアは、パイプ３１ａ、逆止弁３１ｂを介してカバー１２内に吹き込まれ、カバー１２を膨らませることができる（図１、図２）。そこで、カバー１２が十分に膨らんだことを確認して（３）、ブロワ３１を停止させる（４）。なお、ブロワ３１を停止させても、カバー１２内のエアは、逆止弁３１ｂが自動的に閉じるために漏れることがない。
【００２８】
つづいて、殺菌灯２１、２１…を点灯し、ヒータ２２を通電するとともに（５）、オゾン発生器３２、コンプレッサ３２ｂを起動させ、オゾンを架台１１内に流入させることにより、架台１１上の布団Ｆを介してカバー１２内のエアにオゾンを注入する（６）。各殺菌灯２１から紫外線は、布団Ｆを内側から殺菌するとともにカバー１２内のエアを殺菌して布団Ｆを消毒する。また、ヒータ２２は、布団Ｆを内側から加熱し、カバー１２内のエアを加熱して布団Ｆを乾燥させ、オゾン発生器３２は、コンプレッサ３２ｂによりカバー１２内の正圧のエアにオゾンを注入し、布団Ｆ内のダニなどを死滅させる。
【００２９】
そこで、このようにして布団Ｆを乾燥処理しながら所定時間の経過を待ち（７）、その後、殺菌灯２１、２１…を消灯させ、ヒータ２２、オゾン発生器３２、コンプレッサ３２ｂを停止させるとともに（８）、電磁弁３３ｄを開いて吸引ファン３３を起動させる（９）。吸引ファン３３は、カバー１２内のエアを吸引し、水槽３３ｇ内の水によってごみなどを捕捉しながら外部に排出する。
【００３０】
カバー１２内のエアが十分に排出されたら（１０）、吸引ファン３３を停止させるとともに、電磁弁３３ｄを閉じる（１１）。
【００３１】
次ぎに、ファスナ１２ａを介してカバー１２を前後に開き、架台１１上の布団Ｆを露出させるとともに、吸引ファン３３用のホース３３ａをパイプ３３ｂ側から取り外し、先端のコネクタ３３ｃに吸引ノズル３３ｈを装着して清掃準備を完了する（１２）。そこで、吸引ファン３３を再起動し、ホース３３ａの先端の吸引ノズル３３ｈを布団Ｆの表面に沿って移動させながら布団Ｆを吸引清掃し（１３）、布団Ｆ内のごみなどを吸引除去することができる。
【００３２】
なお、図３のステップ（２）〜（４）は、図４の時点ｔ1 〜ｔ2 に対応し、前者のステップ（５）〜（８）は、後者の時点ｔ2 〜ｔ3 に対応している。また、図３のステップ（９）〜（１１）は、図４の時点ｔ3 〜ｔ4 に対応し、前者のステップ（１２）、（１３）は、それぞれ後者の時点ｔ4 〜ｔ5 、時点ｔ5 〜ｔ6 に対応している。
【００３３】
以上の説明において、図３の一連の工程のうち、ステップ（２）〜（１１）は、手動操作に代えて、たとえば台車１４に搭載する図示しないマイクロコンピュータにより容易に自動化することができる。このとき、ステップ（３）、（１０）の判断は、たとえばカバー１２の内圧を圧力センサによって検出すればよく、ヒータ２２の通電制御は、図示しない温度コントローラを介して実施してもよく、マイクロコンピュータによる直接制御としてもよい。そこで、図３において、枠線の左右が２重線のステップ（１）、（１２）、（１３）は、自動化の対象としない手動のステップを示すものとする。
【００３４】
なお、図３において、ステップ（５）、（６）の一方または双方をステップ（２）に合体してもよい。たとえば、ステップ（２）においてブロワ３１を起動させてカバー１２を膨らませ始めると同時に、殺菌灯２１、２１…を点灯するとともにヒータ２２を通電してもよく、併せてカバー１２内のエアにオゾンを注入し始めてもよい。
【符号の説明】
【００３５】
Ｆ…布団
１１…架台
１１ａ…斜面
１２…カバー
２１…殺菌灯
２２…ヒータ
３１…ブロワ
３２…オゾン発生器
３２ｂ…コンプレッサ
３３…吸引ファン
特許出願人          株式会社  ダイセー
代理人  弁理士          松  田  忠  秋
【図１】
2010220932.tif 000003
【図２】
2010220932.tif 000004
【図３】
2010220932.tif 000005
【図４】
2010220932.tif 000006